(57)【要約】      （修正有）【課題】光線照射下で人目を惹く光を発し、夜間は蛍光反射層の反射光により警告表示の効果を達成し、使用者の夜間の安全性を大幅に拡大できるバックル改良構造を提供する。【解決手段】バックル改良構造１は、射出成形機などにより製造されるアクリル或いはプラスチック材質の多様性を呈する透明立体造型を設置したバックルヘッド１１を備え、透明立体造型のバックルヘッドの一面に蛍光反射層１２を設置すると共に、バックルヘッドの他面にはベルトの穴等に挿通して定位する穿柱２、弾力クリップ或いは吸盤等を設置する。【選択図】図１
0003212818.tif 000002
【実用新案登録請求の範囲】
【請求項１】
バックル改良構造であって、バックルヘッド、蛍光反射層を備え、
該バックルヘッド上には、多様性を備えた透明立体造型を設置すると共に  該蛍光反射層を設置したことを特徴とする請求項１に記載のバックル改良構造。
【請求項２】
前記蛍光反射層は、バックルヘッドに直接形成されてなることを特徴とする請求項１に記載のバックル改良構造。
【請求項３】
前記バックルヘッドの前記蛍光反射層に相対する側には、穿柱を設置することを特徴とする請求項１に記載のバックル改良構造。
【請求項４】
前記バックルヘッドの前記蛍光反射層に相対する側には、弾力クリップを設置することを特徴とする請求項１に記載のバックル改良構造。
【請求項５】
前記バックルヘッドには、固定具取付用の貫通孔を設置することを特徴とする請求項１に記載のバックル改良構造。
【請求項６】
前記バックルヘッドをフレームの開口に嵌めたことを特徴とする請求項１に記載のバックル改良構造。
【請求項７】
前記バックルヘッド１１の蛍光反射層１２の反対側には、指輪を設置することを特徴とする請求項１に記載のバックル改良構造。
【請求項８】
前記バックルヘッド１１の蛍光反射層１２の反対側には、ピンを設置することを特徴とする請求項１に記載のバックル改良構造。
【請求項９】
前記バックルヘッド１１の蛍光反射層１２の反対側には、ピアスを設置することを特徴とする請求項１に記載のバックル改良構造。
【請求項１０】
バックルヘッド、蛍光反射層、穿柱を備え、
該バックルヘッドの一面上には、多様化立体造型を設置し、相対する他の面には、凹面を設置し、
該蛍光反射層は、バックルヘッドの凹面に設置され、
該穿柱は、バックルヘッドの凹面を備える同一面上に設置されることを特徴とするバックル改良構造。
【請求項１１】
前記凹面上には、対応するサイズの平板を設置することを特徴とする請求項１０に記載のバックル改良構造。
【考案の詳細な説明】
【技術分野】
【０００１】
本考案はバックルに関し、特にバックル改良構造に関する。
【背景技術】
【０００２】
従来のベルトバックルの多くは金属材質を採用して製造される。
しかし、一部の金属材質には、サビの状況が発生し、しかも金属製のベルトバックルは、使用において明らかに重く、使用中の不注意で皮膚を傷つけてしまうリスクもある。
【０００３】
さらに、従来のベルトバックルは生産コストの制限を受け、外観上新しさを感じさせる設計は見られず、良くても表面に文字や図形を印刷或いは彫刻し、バックルの装飾効果を高めるだけである。
けれでも、印刷された文字や図形は、長時間の使用により退色し、もともとの装飾効果を失ってしまう。
【先行技術文献】
【特許文献】
【０００４】
【特許文献１】特表２００７−５００８８２号公報
【考案の概要】
【考案が解決しようとする課題】
【０００５】
前記先行技術には以下の欠点がある。
従来のベルトバックルの多くは金属材質を採用して製造されるため、サビの状況が発生し、また重く、不注意で皮膚を傷つけるリスクもある。
さらに、従来のベルトバックルには外観上特段の設計が見られず、表面に文字や図形を印刷するものも長時間の使用により退色し装飾効果を失ってしまう。
【課題を解決するための手段】
【０００６】
本考案の第一の目的は、生産コストを引き下げ、バックル外観上の多様性を拡大し、しかも交通の安全性を向上させる機能を備えるバックル改良構造を提供することである。
【０００７】
本考案の第二の目的は、衝突時の、着用者に対するバックルの傷害を低下させるバックル改良構造を提供することである。
【０００８】
本考案の第三の目的は、使用者の夜間の安全性を拡大できるバックル改良構造を提供することである。
【０００９】
本考案バックル改良構造は、バックルヘッド、蛍光反射層を備え、
該バックルヘッド上には、美観と多様化を備える透明立体造型を設置し、該バックルヘッドは、アクリル或いはプラスチック材質を採用し、射出成形機により製造され、
該蛍光反射層は、バックルヘッドの一面上に設置され、該蛍光反射層上には、弾力クリップ或いは穿柱を設置することもできる。
【考案の効果】
【００１０】
本考案のバックル改良構造は、効果的に生産コストを引き下げられ、生産効率を高めることができ、バックルの重量を軽くでき、使用上の利便性と使用者の夜間の安全性を拡大できる。
【図面の簡単な説明】
【００１１】
【図１】本考案第一型態の立体模式図である。
【図２】本考案第一型態の側視模式図である。
【図３】本考案第二型態の立体模式図である。
【図４】本考案第二型態の側視模式図である。
【図５】本考案第一実施例の模式図（一）である。
【図６】本考案第一実施例の模式図（二）である。
【図７】本考案第二実施例の模式図である。
【図８】本考案第三実施例の模式図である。
【図９】本考案第四実施例の模式図（一）である。
【図１０】本考案第四実施例の模式図（二）である。
【考案を実施するための形態】
【００１２】
[実施例]
【００１３】
図１、図２、図３、図４に本考案第一型態の立体模式図、本考案第一型態の側視模式図、本考案第二型態の立体模式図、本考案第二型態の側視模式図を示すように、本考案バックル改良構造１は、射出成形機を採用し一体成形されるバックル改良構造１で、バックルヘッド１１、蛍光反射層１２、穿柱２を備える。
【００１４】
該バックルヘッド１１の一面上には、美観と多様性を兼ね備えた透明立体造型を設置し、該バックルヘッド１１は、アクリル或いはプラスチック材質を採用し、射出成形機により製造される。
【００１５】
該蛍光反射層１２は、バックルヘッド１１の一面上に設置され、後方或いは対向車両と歩行者に警告表示する光線を発射、反射する。
【００１６】
該穿柱２は、蛍光反射層１２に相対するバックルヘッド１１の他面に設置され、本考案バックル改良構造１を孔洞内に嵌めて固定する。
【００１７】
本考案バックル改良構造１は、図３、図４に示すように、バックルヘッド１１、蛍光反射層１２、弾力クリップ５を備える。
【００１８】
該バックルヘッド１１の一面上には、美観と多様性を兼ね備えた透明立体造型を設置し、該バックルヘッド１１は、アクリル或いはプラスチック材質を採用し、射出成形機により製造される。
【００１９】
該蛍光反射層１２は、バックルヘッド１１の一面上に設置され、後方或いは対向車両と歩行者に警告表示する光線を発射、反射する。
【００２０】
該弾力クリップ５は、蛍光反射層１２に相対するバックルヘッド１１の他面に設置され、これにより本考案バックル改良構造１を、衣服、ベルト或いはバックベルトに挟んで設置する。
【００２１】
本考案第一実施例の模式図（一）、本考案第一実施例の模式図（二）である図５、図６に示すように、本考案バックル改良構造１は、ベルトストリップ３との組合せ使用を選択でき、腰に装着できるベルトを形成する。
【００２２】
該バックルヘッド１１とベルトストリップ３との連結は、先ずベルトストリップ３末端をズボン上のベルト通しに通して定位し、次に使用者のウエストサイズに最も適した長さに調整し、最後に本考案バックル改良構造１上の穿柱２をベルト孔３１に通して、固定効果を達成する。
【００２３】
本考案バックル改良構造１組合せて形成されるベルトは、外観的な美観と多様な透明立体造型を備え、光線の照射下では、蛍光反射層１２は、警告表示効果を備える光彩を反射し、光線照射がなければ、蛍光反射層１２は自ら発光し、相同の警告表示効果を達成する。
【００２４】
本考案第二実施例の模式図である図７に示すように、本考案バックル改良構造１は、弾力クリップ５と組合せて使用し、衣服或いはバックベルト上に挟んで設置し、警告表示効果を備える構成部材とすることができる。
【００２５】
該バックルヘッド１１と弾力クリップ５とが連結することで、簡単に衣服或いはバックベルト上に挟んで設置できる。
【００２６】
バックルヘッド１１上に設置し、美観と多様化を備える透明立体造型が子供向きなら、身につけるよう、子供を簡単に承服させられるため、安全性と美観を兼ね備えるばかりでなく、子供の父母を安心させることもできる。
【００２７】
光線の照射下では、身につけたバックル改良構造１は、蛍光反射層１２を通して、警告表示効果を備える光彩を反射し、前方に歩行者がいることを車両に知らせ、視界が悪い状況下で車両に衝突される危険性を低下させられる。
【００２８】
本考案第三実施例の模式図である図８に示すように、本考案バックル改良構造１は、吸盤7、チェーン、あるいはフックホルダーと組合せて使用でき、ガラス或いは壁面に吸着又は掛けられ、警告表示効果を備える構成部材とすることができる。
【００２９】
該バックルヘッド１１上には、貫通孔４を設置し、該貫通孔４により吸盤７、チェーン、あるいはフックホルダーを取り付け、個人的な必要及び好みで、本考案バックル改良構造１を、車両のフロントガラスとリアウィンドウ６上に吸着させ又は掛けられ、これにより本考案バックル改良構造１は車上で警告表示効果を備える構成部材の一つとなる。
【００３０】
車両のフロントガラスとリアウィンドウ６上に吸着又は掛けられた本考案バックル改良構造１は、夜間或いは大雨で視界が悪い状況下では、バックルヘッド１１上の美観と多様化を備える透明立体造型を通して、後方或いは対向車に対して、警告表示性を備える光を反射することができ、安全な車間距離の維持に効果を発揮する。
【００３１】
前記取り付け方法以外に、本考案のバックルヘッド１１の蛍光反射層１２の反対側にはリング、ピン、ピアスに取り付けることができ、指輪、ブローチ、イヤリングなどのアクセサリーとして身につけることができる。
【００３２】
指輪、ブローチ、イヤリングなどのアクセサリーとなった本考案の蛍光反射層１２は、警告表示効果を備える光彩を反射し、美観と多様化を備える透明立体造型を設置した該バックルヘッドにより警告表示効果を備える光彩を強化し、さらに広く発散され、夜間にて歩行者がいることを対向車両に知らせ、視界が悪い状況下で車両に衝突される危険性を低下し、着用する歩行者の安全性を拡大できる。
【００３３】
なお、第一実施例、第二実施例、第三実施例のいずれもバックルヘッドへの衝撃により本考案が破損することを防ぐ穴を具有するフレームに本考案を嵌めることができる。
【００３４】
本考案第四実施例の模式図（一）、及び本考案第四実施例の模式図（二）である図９、図１０に示すように、本考案バックル改良構造１は、第四実施例中では、係合固定の方式で、市場で見られるベルト環に固定される。
【００３５】
本実例中のバックル改良構造１は、バックルヘッド１１、蛍光反射層１２、穿柱２を備え、該バックルヘッド１１の一面上には美観と多様性を備える透明立体造型を設置する。
【００３６】
該バックルヘッド１１の他面側には凹面を設置し、該蛍光反射層１２はバックルヘッド１１の凹面内に設置すると共に、バックルヘッド１１上の凹面と対応する平板を取り付けることで、凹面を設けたバックルヘッド１１のフラット性を保持する。
【００３７】
しかも、本実施例中最大の特色は、使用者は好みに応じて、蛍光反射層１２の色を自ら交換できることで、蛍光反射層１２を自由に交換できない前記実施例に比べ、本実施例はより多様な変化性を備える。
【００３８】
本実施例では、穿柱２を通して、バックル改良構造１を、ベルト環上に係合して固定し、係合固定方式により、使用者の気分と好みに応じて、さまざまな図案と色のバックル改良構造１と組合せる蛍光反射層１２に交換することができる。
【００３９】
しかも、光線の照射下では、蛍光反射層１２は、警告表示効果を備える光彩を反射し、光線照射がなければ、蛍光反射層１２は自ら発光し、相同の警告表示効果を達成する。
【００４０】
使用者が身につければ、美観の効果を備えるばかりか、蛍光反射層１２の反射或いは自ら発光するため、着用者の夜間の歩行、走行の安全性を大幅に高めることができる。
【００４１】
上記を総合すると、本考案は以下の効果を備える。
1.   射出成形機を用いて製造するため、効果的に生産コストを引き下げ、生産効率を高めることができる。
2.   アクリル或いはプラスチック材質の応用で、バックルヘッドはより多様化した立体造型と色彩を呈する。
3.   本考案は使用者の好みに応じて、違った使用方式に変えられる。
4.   蛍光反射層の設置により、本考案は夜間には警告表示効果を備え、交通安全の機能を効果的に発揮できる。
【産業上の利用可能性】
【００４２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４３】
１  本考案バックル改良構造
１１  バックルヘッド
１２  蛍光反射層
２  穿柱
３  ベルトストリップ
３１  ベルト孔
４  貫通孔
５  弾力クリップ
６  ガラス
７  吸盤
【図１】
0003212818.tif 000003
【図２】
0003212818.tif 000004
【図３】
0003212818.tif 000005
【図４】
0003212818.tif 000006
【図５】
0003212818.tif 000007
【図６】
0003212818.tif 000008
【図７】
0003212818.tif 000009
【図８】
0003212818.tif 000010
【図９】
0003212818.tif 000011
【図１０】
0003212818.tif 000012
【手続補正書】
【提出日】平成29年8月7日(2017.8.7)
【手続補正１】
【補正対象書類名】実用新案登録請求の範囲
【補正対象項目名】請求項１
【補正方法】変更
【補正の内容】
【請求項１】
バックル改良構造であって、バックルヘッド、蛍光反射層を備え、
該バックルヘッド上には、多様性を備えた透明立体造型を設置すると共に  該蛍光反射層を設置したことを特徴とするバックル改良構造。